(57)【要約】【課題】後ろの方の視聴者にも下段表示部の下部に表示された映像が見えるようにすること。【解決手段】車両の荷台に上段表示部と下段表示部とを設けると共に、両表示部は、左右に並列状態に載置した収納形態と、下段表示部の上に上段表示部を段積みした使用形態とに形態変更可能とした移動式大型表示装置において、使用形態での上・下段表示部の地上高を調節可能とした。このようにして、表示場所に集まった視聴者の数が多い場合には、上・下段表示部の地上高を適宜調節することができる。【選択図】　　　　図１
2004053804.tif 000002
【特許請求の範囲】
【請求項１】
車両の荷台に上段表示部と下段表示部とを設けると共に、両表示部は、左右に並列状態に載置した収納形態と、下段表示部の上に上段表示部を段積みした使用形態とに形態変更可能とした移動式大型表示装置において、
使用形態での上・下段表示部の地上高を調節可能としたことを特徴とする移動式大型表示装置。
【請求項２】
下段表示部の下端部にロールスクリーンを設け、同ロールスクリーンの先端部を車両の荷台に連結して、同下段表示部の上昇動作に連動してロールスクリーンが下方へ引き出されて、引き出されたロールスクリーンが下段表示部の表示側下方を被覆するようにしたことを特徴とする請求項１記載の移動式大型表示装置。
【請求項３】
上段表示部の背面側に点検足場用の通路を設けたことを特徴とする請求項１又は２記載の移動式大型表示装置。
【発明の詳細な説明】
【０００１】
【発明の属する技術分野】
本発明は、移動式大型表示装置に関する。
【０００２】
【従来の技術】
従来、移動式大型表示装置の一形態として、車両の荷台に上段表示部と下段表示部とを設けると共に、両表示部は、左右に並列状態に載置した収納形態と、下段表示部の上に上段表示部を段積みした使用形態とに形態変更可能としたものがある。
【０００３】
このようにして、上記移動式大型表示装置は、収納形態にて車両を走行させることにより所望の表示場所まで移動し、同表示場所にて収納形態から使用形態に変更し、同使用形態にて上・下段表示部に映像を表示することができるようにしている。
【０００４】
そして、上・下段表示部に表示された映像を表示場所に集まった人々（視聴者）が見ることができるようにしている。
【０００５】
【発明が解決しようとする課題】
ところが、上記した移動式大型表示装置では、車両の荷台に載置された下段表示部の上に上段表示部を段積みして使用形態となしているだけであり、上・下段表示部の地上高が荷台の地上高と略等しい一定の高さであるため、多くの視聴者が集まった場合には、後ろの方の視聴者には下段表示部の下部に表示された映像が見えないことがあるという不具合がある。
【０００６】
【課題を解決するための手段】
そこで、本発明では、車両の荷台に上段表示部と下段表示部とを設けると共に、両表示部は、左右に並列状態に載置した収納形態と、下段表示部の上に上段表示部を段積みした使用形態とに形態変更可能とした移動式大型表示装置において、使用形態での上・下段表示部の地上高を調節可能としたことを特徴とする移動式大型表示装置を提供するものである。
【０００７】
また、本発明は、以下の構成にも特徴を有する。
【０００８】
（１）下段表示部の下端部にロールスクリーンを設け、同ロールスクリーンの先端部を車両の荷台に連結して、同下段表示部の上昇動作に連動してロールスクリーンが下方へ引き出されて、引き出されたロールスクリーンが下段表示部の表示側下方を被覆するようにしたこと。
【０００９】
（２）上段表示部の背面側に点検足場用の通路を設けたこと。
【００１０】
【発明の実施の形態】
以下に、本発明の実施の形態について説明する。
【００１１】
すなわち、本発明に係る本発明に係る移動式大型表示装置は、基本的構造として、車両の荷台に上段表示部と下段表示部とを設けると共に、両表示部は、左右に並列状態に載置した収納形態と、下段表示部の上に上段表示部を段積みした使用形態とに形態変更可能としている。
【００１２】
そして、特徴的構造として、使用形態での上・下段表示部の地上高を調節可能としている。
【００１３】
しかも、下段表示部の下端部にロールスクリーンを設け、同ロールスクリーンの先端部を車両の荷台に連結して、同下段表示部の上昇動作に連動してロールスクリーンが下方へ引き出されて、引き出されたロールスクリーンが下段表示部の表示側下方を被覆するようにしている。
【００１４】
また、上段表示部の背面側に点検足場用の通路を設けている。
【００１５】
【実施例】
以下に、本発明の実施例を、図面を参照しながら説明する。
【００１６】
図１〜図４に示すＡは、本発明にかかる移動式大型表示装置であり、同移動式大型表示装置Ａは、車体フレーム１の前部より後方に向けて順次運転部２と制御・操作部３と表示部４と発電部５とを設けており、車体フレーム１の下方には前・後車輪６，６，７，７とアウトリガー部８を設けている。９は制御装置、１０は空調・室外機、１１は電源・分電盤、１２は発電機、１３はリレー箱、１４は、制御・操作部３の片開き式の扉、１５は、発電部５の観音開き式の扉、１６はスピーカー、１７はアンテナである。
【００１７】
上記のような構成において、本発明の要旨は表示部４の構成にあり、以下に、同表示部４の構成について、図１〜図１３を参照しながら詳細に説明する。
【００１８】
すなわち、表示部４は、図１〜図５に示すように、車体フレーム１上に荷台２０を設け、同荷台２０上に上段表示部２１と下段表示部２２とを設けると共に、両表示部２１，２２は、左右に並列状態に載置した収納形態と、下段表示部２２の上に上段表示部２１を段積みした使用形態とに形態変更可能とし、これら上・下段表示部２１，２２を荷箱２３により開閉自在に被覆している。
【００１９】
上段表示部２１は、図１〜図５に示すように、前後方向に伸延する四角形の薄肉板状に形成して、表示面２１ａを左側方に向けて荷台２０上の右側部に配置しており、同上段表示部２１は、昇降・横移動装置２４により略垂直方向への昇降移動並びに左右方向への略水平横移動が行えるようにしている。
【００２０】
昇降・横移動装置２４は、図５〜図８に示すように、荷台２０上の前部と後部にそれぞれ立設した前後一対の昇降支持枠体２５，２５に前後一対の表示部支持枠体２６，２６をそれぞれ上下スライド自在に取り付け、両表示部支持枠体２６，２６間に上段表示部２１を左右スライド自在に取り付けている。
【００２１】
そして、図６、図７、図９及び図１０に示すように、昇降支持枠体２５に、荷台２０より上方へ立ち上げた左右一対の固定側ガイドレール２７，２７を設け、各固定側ガイドレール２７，２７に第１ガイドローラ２８，２８を介して上下方向に伸延する可動側ガイドレール２９，２９を上下スライド自在に取り付ける一方、表示部支持枠体２６に設けたガイドローラ支持片３０，３０を第２ガイドローラ３１，３１を介して可動側ガイドレール２９，２９に上下スライド自在に取り付けている。３２は可動側レール２９，２９の上端間に横架した連結片である。
【００２２】
また、各固定側ガイドレール２７，２７の直後方位置において、荷台２０と前記連結片３２との間に、上下方向に伸縮する昇降用シリンダ３３，３３を起立状態に介設して、各昇降用シリンダ３３，３３の上端部をにスプロケット３４，３４を取り付け、各スプロケット３４，３４にチェン３５，３５の中途部を掛け回しており、各チェン３５，３５の一端３５ａ，３５ａは、左右一対の固定側ガイドレール２７，２７の中途部間に設けたチェン連結片３６，３６に連結する一方、前記ガイドローラ支持片３０，３０に他端３５ｂ，３５ｂを連結している。３７は連結片支持体である。
【００２３】
このようにして、各昇降用シリンダ３３，３３を伸長（収縮）作動させることにより、固定側ガイドレール２７，２７に沿って可動側ガイドレール２９，２９を上昇（下降）させると共に、チェン３５，３５により可動側ガイドレール２９　，２９に沿って表示部支持枠体２６をさらに上昇（下降）させて、同表示部支持枠体２６に取り付けた上段表示部２１を、所定の最上昇位置と荷台２０に載置した位置との間で、昇降作動させることができるようにしている。
【００２４】
表示部支持枠体２６には、図８に示すように、左右方向に伸延する上下一対の横移動ガイドレール４０，４０を設ける一方、上段表示部２１にガイドローラ支持体４１，４１を介してガイドローラ４２，４２を取り付けて、各ガイドローラ４２，４２を各横移動ガイドレール４０，４０上に載置している。
【００２５】
また、表示部支持枠体２６に設けたシリンダ支持ブラケット４３と、上段表示部２１の側壁との間には、左右方向に伸縮する横移動用シリンダ４４を横臥状態に介設している。４５，４６は連結ピンである。
【００２６】
このようにして、横移動用シリンダ４４を伸縮作動させることにより、上段表示部２１をガイドローラ４２，４２を介して横移動ガイドレール４０，４０に沿わせて、昇降支持枠体２５に併設した位置と下段表示部２２の直上方位置まで左側方に移動させた位置との間で、横移動させることができるようにしている。
【００２７】
ここで、上段表示部２１の右側面（背面）下部には、図２，図３及び図９に示すように、通路形成体４７を右側方へ張り出し状に形成して、同通路形成体４７上に点検足場用の通路４８を形成しており、同通路形成体４７の後部には昇り口４９を開口して、下段表示部２２に設けた梯子５０を昇り口４９と荷台２０との間に配置している。４７ａは手摺り体である。
【００２８】
このようにして、上段表示部２１等を点検する際には、点検作業者は、荷台２０から梯子５０を介して昇り口４９まで昇り、同昇り口４９より通路形成体４７に上がることにより、通路４８を通して使用形態のまま上段表示部２１の点検等を容易に行うことができる。
【００２９】
また、上段表示部２１の左側の前端部と後端部とには、それぞれ可動式サイドカバー体５１，５１の基端縁部を枢支片５２，５２を介して上下方向の軸線廻りに揺動自在に取り付け、各可動式サイドカバー体５１，５１と上段表示部２１の前・後壁との間に姿勢変更用シリンダ５３，５３を介設している。５４，５５は連結ピンである。
【００３０】
このようにして、姿勢変更用シリンダ５３を伸長作動させることにより、可動式サイドカバー体５１を上段表示部２１の表示面２１ａより左側外方へ突出する突出姿勢となすことができる一方、姿勢変更用シリンダ５３を短縮作動させることにより、可動式サイドカバー体５１を上段表示部２１の表示面２１ａと略面一となる面一姿勢となすことができるようにしている。
【００３１】
従って、上段表示部２１を昇降・横移動させる際には、可動式サイドカバー体５１，５１を突出姿勢となして、各可動式サイドカバー体５１，５１が表示部支持枠体２６，２６と干渉しないようにすると共に、上段表示部２１を下段表示部２２に段積みして使用形態となした状態では、可動式サイドカバー体５１，５１を面一姿勢となして、各可動式サイドカバー体５１，５１により各表示部支持枠体２６，２６等を左側方よりカバーして、各表示部支持枠体２６，２６等が左側方から見えないようにしている。
【００３２】
下段表示部２２は、図１〜図５に示すように、前後方向に伸延する四角形の薄肉板状に形成して、表示面２２ａを左側方に向けて荷台２０上の左側部に配置しており、同下段表示部２２は、昇降装置６０，６０により略垂直方向への昇降移動が行えるようにしている。
【００３３】
昇降装置６０は、図９、図１１及び図１２にも示すように、荷台２０上の前部と後部にそれぞれ上下方向に伸延する固定側ガイドレール６１，６１を立設し、各固定側ガイドレール６１，６１内に上下方向に伸延する可動側ガイドレール６２，６２を上下スライド自在に挿通して、両可動側ガイドレール６２，６２間に取付体６３，６３を介して下段表示部２２を取り付けると共に、各可動側ガイドレール６２，６２の上部に取り付けた連結体６４，６４と荷台２０との間に、上下方向に伸縮する昇降用シリンダ６５，６５を起立状態にて介設している。
【００３４】
このようにして、昇降用シリンダ６５，６５を伸縮作動させることにより、下段表示部２２の地上高を、あらかじめ設定した高さＨと荷台２０との間にて調節することができるようにしている。
【００３５】
従って、上・下段表示部２１，２２を使用形態となす際には、例えば、図１３に示すように、上段表示部２１を最上昇位置まで上昇させ、同位置から左側方へ横移動させて下段表示部２２の直上方位置に配置する。
【００３６】
続いて、下段表示部２２を所定の地上高まで上昇させ、その後に、上段表示部２１を下降させて、下段表示部２２上に段積みして接続することにより、上・下段表示部２１，２２を使用形態となすことができる。
【００３７】
なお、上・下段表示部２１，２２を使用形態となす手順は、上記した手順に限られるものではなく、結果的に上・下段表示部２１，２２が所定の地上高に設定できればよい。
【００３８】
また、本実施例では、上段表示部２１を左右方向に横移動させるようにしているが、下段表示部２２を左右横方向に移動させるようにしても良い。
【００３９】
図１１及び図１２に示すように、固定側ガイドレール６１の左側壁と可動側ガイドレール６２の左側壁とには、それぞれ左右方向に連通するピン挿通孔６６，６７を上下方向に一定の間隔を開けて形成し、地上高調節を行った後に、符合するピン挿通孔６６，６７中に固定ピン６８を横断貫通状態に挿通して、固定側ガイドレール６１に可動側ガイドレール６２を固定することができるようにしている。その結果、昇降用シリンダ６５と固定ピン６８とを協働させて、上・下段表示部２１，２２の固定状態を良好に確保することができる。
【００４０】
ここで、下段表示部２２の下端部には、図１、図５、図６及び図１１に示すように、前後方向に巻き取り軸線を向けた複数（本実施例では四個）のロールスクリーン７０，７０，７０，７０を前後方向に連続的に配置して、各ロールスクリーン７０の先端部７０ａを車両の荷台２０に係止・連結片２０ａを介して係止・連結して、同下段表示部２２の上昇動作に連動してロールスクリーン７０が下方へ引き出されて、引き出されたロールスクリーン７０が下段表示部２２の表示側下方の空間を被覆するようにしている。
【００４１】
このようにして、上・下段表示部２１，２２の地上高を調節すべく上・下段表示部２１，２２を上昇させた場合には、下段表示部２２の上昇動作に連動してロールスクリーン７０が自動的に下方へ引き出されて、引き出されたロールスクリーン７０が下段表示部２２の表示側下方の空間を確実に被覆するため、視聴者にとって下段表示部２２の表示側下方が目障りになったり、興醒めすることがなく、その結果、上・下段表示部２１，２２に表示された映像に集中することができる。
【００４２】
また、図１及び図９に示すように、下段表示部２２の左側の前端部と後端部とには、それぞれ固定式サイドカバー体７１，７１を下段表示部２２の表示面２２ａと面一状態に突設している。
【００４３】
このようにして、各固定式サイドカバー体７１，７１により各昇降装置６０，６０を左側方よりカバーして、各昇降装置６０，６０が左側方より見えないようにしている。
【００４４】
図１１及び図１２に示すように、上段表示部２１の下面の前・後・左・右側部に、それぞれ位置決め用嵌合凹部（図示せず）を形成する一方、下段表示部２２の上面の前・後・左・右側部に、それぞれ上記上段表示部２１の下面に形成した位置決め用嵌合凹部に嵌合する位置決め用嵌合凸部７２，７２，７２，７２を上方へ突設すると共に、同下段表示部２２の下面の前・後・左・右側部にそれぞれ位置決め用嵌合凹部７３，７３，７３，７３を上方へ凸状に形成する一方、荷台２０に上記下段表示部２２の下面に形成した位置決め用嵌合凹部７３，７３，７３，７３にそれぞれ嵌合する位置決め用嵌合凸部７４，７４，７４，７４を突設している。
【００４５】
このようにして、収納形態においては、上・下段表示部２１，２２の下面に形成した位置決め用嵌合凹部７３をそれぞれ荷台２０上にて位置決め用嵌合凸部７４に嵌合させて、位置決めする一方、使用形態においては、上段表示部２１の位置決め用嵌合凹部に、下段表示部２２の位置決め用嵌合凸部７２を嵌合させて、両上・下段表示部２１，２２を確実に接続することができるようにしている。
【００４６】
荷箱２３は、図１〜図５に示すように、荷台２０の前後端部にそれぞれ立設した前・後壁８０，８１と、荷台２０の左側縁部に蝶番８２を介して下端縁部を取り付けた左側下部壁８３と、前・後壁８０，８１の右側上部間に架設した前後伸延支持フレーム８４に蝶番８５を介して取り付けた左側上部壁及び天井部８６と、上記前後伸延支持フレーム８４に蝶番８７を介して取り付けた右側壁８８とから形成している。
【００４７】
そして、左側下部壁８３は、起立状態の閉塞位置から外側方へ回動して略水平倒伏状態の開放位置にて支柱８９を介して支持するようにしている。
【００４８】
また、左側上部壁及び天井部８６は、第１開閉用シリンダ９０により開閉可能としており、同第１開閉用シリンダ９０により閉塞位置から上方へ跳ね上げて、荷台２０の上方を開放することにより、上段表示部２１の昇降に支障とならないようにすることができる。
【００４９】
右側壁８８は、第２開閉用シリンダ９１により開閉可能としており、同第２開閉用シリンダ９１により右側外方へ開放することができるようにしている。
【００５０】
アウトリガー部８は、図５に示すように、車体フレーム１に設けた前後一対の左右拡幅機構９２，９２にそれぞれ左右一対の昇降式スタンド９３，９３，９３，９３を設けており、各左右拡幅機構９２は、拡幅用シリンダ９４によりスタンド支持機枠９５を左右方向に拡幅して、車体フレーム１の左右幅よりも広幅に設定可能としている。
【００５１】
このようにして、上・下部表示部２１，２２を使用形態にする際には、昇降式スタンド９３，９３，９３，９３の左右幅を車体フレーム１の左右幅よりも広幅に設定すると共に、各昇降式スタンド９３を伸長作動させて前・後車輪６，６，７，７を離陸状態となすことにより、車体フレーム１を略水平状態にて安定支持することができる。
【００５２】
【発明の効果】
（１）請求項１記載の本発明では、車両の荷台に上段表示部と下段表示部とを設けると共に、両表示部は、左右に並列状態に載置した収納形態と、下段表示部の上に上段表示部を段積みした使用形態とに形態変更可能とした移動式大型表示装置において、使用形態での上・下段表示部の地上高を調節可能としている。
【００５３】
このようにして、表示場所に集まった視聴者の数が多い場合には、上・下段表示部の地上高を適宜調節することにより、後ろの方の視聴者にも下段表示部の下部に表示された映像が見えるようにすることができる。
【００５４】
（２）請求項２記載の本発明では、下段表示部の下端部にロールスクリーンを設け、同ロールスクリーンの先端部を車両の荷台に連結して、同下段表示部の上昇動作に連動してロールスクリーンが下方へ引き出されて、引き出されたロールスクリーンが下段表示部の表示側下方を被覆するようにしている。
【００５５】
このようにして、上・下段表示部の地上高を調節すべく上・下段表示部を上昇させた場合には、下段表示部の上昇動作に連動してロールスクリーンが下方へ引き出されて、引き出されたロールスクリーンが下段表示部の表示側下方を被覆するため、視聴者にとって下段表示部の表示側下方が目障りになったり、興醒めすることがなく、その結果、上・下段表示部に表示された映像に集中することができる。
【００５６】
（３）請求項３記載の本発明では、上段表示部の背面側に点検足場用の通路を設けている。
【００５７】
このようにして、上段表示部の背面側に設けた点検足場用の通路を利用して、上・下段表示部を使用形態のまま速やかに点検することができる。
【００５８】
従って、上・下段表示部に映像を表示している最中に、上・下段表示部に故障等が発生した場合にも、点検作業を速やかに行うことができ、迅速な対応により故障等を解消することができる。
【図面の簡単な説明】
【図１】本発明にかかる移動式大型表示装置の正面説明図（使用形態）。
【図２】同移動式大型表示装置の背面説明図（使用形態）。
【図３】同移動式大型表示装置の平面説明図（使用形態）。
【図４】同移動式大型表示装置の側面説明図（使用形態）。
【図５】上・下段表示部の昇降説明図。
【図６】上・下段表示部の側面説明図。
【図７】同上・下段表示部の背面説明図。
【図８】表示部支持機枠体の側面説明図。
【図９】上・下段表示部の収納形態の平面図。
【図１０】上・下段表示部の使用形態の平面説明図。
【図１１】下段表示部の側面昇降説明図。
【図１２】同下段表示部の正面昇降説明図。
【図１３】上・下段表示部の段積み説明図。
【符号の説明】
Ａ　移動式大型表示装置
１　車体フレーム
２　運転部
３　制御・操作部
４　表示部
５　発電部
６　前車輪
７　後車輪
８　アウトリガー部
【図１】
2004053804.tif 000003
【図２】
2004053804.tif 000004
【図３】
2004053804.tif 000005
【図４】
2004053804.tif 000006
【図５】
2004053804.tif 000007
【図６】
2004053804.tif 000008
【図７】
2004053804.tif 000009
【図８】
2004053804.tif 000010
【図９】
2004053804.tif 000011
【図１０】
2004053804.tif 000012
【図１１】
2004053804.tif 000013
【図１２】
2004053804.tif 000014
【図１３】
2004053804.tif 000015